(57)【特許請求の範囲】
【請求項１】
中央部に開口を開設すると共に、裏面に箱枠を設けた取付板と、前記箱枠の中に嵌挿する外郭形状を有し、前面に開閉扉を開閉自在に軸支すると共に、該開閉扉を駆動させる駆動要素を組み込んだ中枠との二部材を着脱自在に合体できるようにした入賞装置において、前記中枠は背壁の前面に球通路を囲む左右の隔壁を設けると共に、球通路の流下端に球検出器を設け、前記隔壁の外面側に開閉扉の左右の各支持軸を軸支し、押え部材を前記支持軸の先端に被せて開閉扉を開閉自在に止着すると共に、前記球検出器を同時に抜け止めし、前記押え部材は球検出器を押える板状部と両端に前記支持軸の先端に被せるキャップ部を備えると共に、板状部および左右の各キャップ部からそれぞれ先端に爪部を有する係止片を裏面側へ一体に突設して形成し、前記中枠に係止片の爪部を係止するための係止部を設けたことを特徴とするパチンコ球の入賞装置。
【発明の詳細な説明】
【０００１】
【発明の属する技術分野】
本発明は、パチンコ機の遊技盤の下部中央に設けられる大入賞口、特に、開口に備える開閉扉を開閉する駆動要素を備えた中枠に、前記開閉扉を嵌め込み手段により組付けるようにしたパチンコ機の入賞装置に関するものである。
【０００２】
【従来の技術】
従来、パチンコ機の遊技盤の下部中央に大入賞口として入賞装置が設けられており、このような入賞装置は、前記遊技盤の表面に取り付けられる取付板と該取付板の裏面に組付けられる中枠との二部材からなり、前記取付板の中央部分に横長の開口が開設され、該取付板の裏面には開口を囲うように後面が開口した中空状の箱枠が一体に形成され、この箱枠には該箱枠の内側に沿って収まる外郭形状に形成された中枠が組付けられている。該中枠には前記取付板の開口を開閉する開閉扉が設けられ、ソレノイド等の駆動要素により開口を開閉するようになっている。そして、前記中枠には球通路が形成され、該球通路の下流端に球検出器が設けられている。
【０００３】
【発明が解決しようとする課題】
従来、この種のパチンコ機の入賞装置は、開閉扉を軸支する左右の支持軸をそれぞれ別の押え部材によって開閉可能に支着し、球検出器をさらに別の押え部材によって抜け止めしている。そして、前記押え部材は、それぞれ単体で小さく、ビス止めにより組付ける組立構造に形成されている。従って、各部品は小さく扱い難く、しかもこれらの部品の組付けには多くのビスが必要となるばかりでなく、細かいビス止め作業を余儀なくされ、ビス止による組付け作業が困難で、組付けの作業性が悪く非能率的であるといった課題があった。
【０００４】
本発明は、上記のような従来技術の有する課題に鑑みてなされたものであって、その目的とするところは、前記取付板の開口を開閉するために該取付板の裏面に備えた中枠に設ける開閉扉の組付けを嵌め込み式の止着構造にすることにより、細かいビスの使用を排して組み立て作業のコストの低減を図ると共に、開閉扉の組立て作業を容易簡便にしたパチンコ機の入賞装置を提供するものである。
【０００５】
【課題を解決するための手段】
かかる問題を解決するために、本発明に係わるパチンコ機の入賞装置は、中央部に開口を開設すると共に、裏面に箱枠を設けた取付板と、前記箱枠の中に嵌挿する外郭形状を有し、前面に開閉扉を開閉自在に軸支すると共に、該開閉扉を駆動させる駆動要素を組み込んだ中枠との二部材を着脱自在に合体できるようにした入賞装置において、前記開閉扉の支持軸の先端に押え部材を被せて開閉扉を開閉自在に止着し、該押え部材は先端に爪部を有した係止片を裏面側へ一体に突設して形成し、前記中枠には球通路を形成する隔壁の外面側に、前記係止片の爪部を係止するための係止部を一体に設置して構成した。
【０００６】
また、前記中枠は背壁の前面に球通路を囲む左右の隔壁を設けると共に、球通路の流下端に球検出器を設け、前記隔壁の外面側に開閉扉の左右の各支持軸を軸支し、押え部材を前記支持軸の先端に被せて開閉扉を開閉自在に止着すると共に、前記球検出器を同時に抜け止めし、前記押え部材は球検出器を押える板状部と両端に前記支持軸の先端に被せるキャップ部を備えると共に、板状部および左右の各キャップ部からそれぞれ先端に爪部を有する係止片を裏面側へ一体に突設して形成し、前記中枠に係止片の爪部を係止するための係止部を設けてなるのが好ましい。
【０００７】
前記押え部材は、横長の板状部の下辺に所定間隔を置いて一体に垂設した複数の枝板部を備え、かつ上辺の両端に前記支持軸の先端に被せるキャップ部を備えると共に、左右の各キャップ部及び一つの枝板部からそれぞれ先端に爪部を有する係止片を裏面側へ一体に突設して形成するのが好ましい。
【０００８】
前記中枠は、背壁の前面に球通路を囲む左右の隔壁を設け、該隔壁の外面側に開閉扉の左右の各支持軸を軸支する支持部を設けると共に、左右の隔壁の奥方の外面側に前記キャップ部に設けた係止片の爪部を係止するための係止部を一体に設置すると共に、中枠の背壁に前記枝板部に設けた係止片の爪部を挿通して爪部を係着する貫通孔を穿設して設けるのが好ましい。
【０００９】
なお、前記押え部材は一つの枝板部の裏面に板状片になる突片を一体に突設し、中枠のＶ入賞口と一般入賞口を区隔する隔壁の先端に前記突片を挿着する条溝を穿設して形成するのが好ましい。
【００１０】
なおまた、前記キャップ部に設けた係止片は根元部分に肉厚部を設け、押え部材を装着したときに、該肉厚部が支持軸に接着して先端に効果的な弾性力を備えさせて係止段部の係着を確実堅固に保持する。また、前記肉厚部は係止片全体の約１／３程度の範囲に設けるのが好ましい。
【００１１】
【発明の実施の形態】
以下に本発明に係わるパチンコ機の入賞装置の実施の形態を図面と共に説明する。図１は本発明のパチンコ機の正面図、図２は本発明に係わる入賞装置の斜視図、図３はこの入賞装置を構成する取付板と中枠及び該中枠に組付けられる開閉扉並びに駆動構成部材を分解して示す斜視図である。パチンコ機１は、機枠２に前面枠３が開閉自在に装着され、該前面枠３は中央に窓孔３ａを開設する額縁状に形成され、窓孔３ａにはガラス扉４と前面板５とが開閉自在に設けられると共に、窓孔３ａの裏面部分には遊技盤６が設けられている。前記遊技盤６は、誘導レール７で囲まれる遊技領域に上方中央部の通過始動口８、中央部の可変表示装置９、可変始動口１０及び下方部に大入賞口である入賞装置１１が設けられている。
【００１２】
前記入賞装置１１は、図２及び図３に示すように、前記遊技盤６の表面に取り付けられる取付板１２と、該取付板１２の裏面に組付けられる中枠１３とからなり、前記取付板１２の中央部分に横長の開口１４が開設され、該取付板１２の前面には開口１４の下部を覆う飾り板１５と一般入賞口１６を併設した透光性のレンズ部材１７，１７が左右に設けられる。また、取付板１２の裏面には開口１４を囲うように後面が開口した中空状の箱枠１８が一体に形成され、該箱枠１８で囲まれる左右位置に前記一般入賞口１６，１６の球入口１９，１９が設けられ、そして、図４に示すように、前記取付板１２の裏面の箱枠１８内に前記球入口１９，１９に連続する角筒形状の筒枠２０，２０によって球通路２１，２１が一体に設けられる。また、前記開口１４の下方位置には後述する前記中枠１３に備える入賞球の通路部２４のガイド片２２，２２が突出形成されている。
【００１３】
前記中枠１３は、図５に示すように、背壁２３を有して前面を開口し、前記箱枠１８の内側に添わせて嵌挿させる外郭形状に形成され、該中枠１３は前記取付板１２の開口１４に連通する通路部２４を囲む隔壁２５，２５が設けられ、該通路部２４の先に隔壁２５ａによって区隔されたＶ入賞口２６と一般入賞口２７が設けられる。そして前記Ｖ入賞口２６と、一般入賞口２７の下方にそれぞれ入賞球を検出する球検出器２６ａ、２７ａが配設される。
【００１４】
前記中枠１３は、前面に前記開口１４に臨むように開閉扉２８が開閉自在に設けられる。この開閉扉２８は、図５に示すように、下部両側に支持軸２９，２９を水平に突出させ、これらの支持軸２９，２９を中枠１３の前面に突出させた支持部の先端の凹溝３０，３０に軸支させた状態で、支持軸２９，２９の先端に押え部材３１を被せて開閉可能に止着保持させる。同時に前記球検出器２６ａ、２７ａの抜け止めも行われる。３２，３２は、中枠１３に取着されるランプ基板である。
【００１５】
更に、中枠１３の背壁２３の後面には開閉扉２８を開閉するためのソレノイド３３が取り付けられる。該ソレノイド３３のプランジャ３４に装着されたレバー部材３５は、通路部２４を区画する一方の隔壁２５の内側に隣接して設けられた仕切壁３６の間に位置し、図９に示すように、開閉扉２８の係合部３７に係合させている。
【００１６】
このソレノイド３３は消磁した状態のとき、図９実線に示すようにプランジャ３４が復帰ばね３８の付勢によって下方に押し下げられて開閉扉２８を閉成状態に維持し、一方、ソレノイド３３が図９鎖線に示すように励磁されるとプランジャ３４を復帰ばね３８の付勢に抗して吸引して開閉扉２８を開成する。
【００１７】
また更に、中枠１３の背壁２３の後面にＶ入賞口２６を開閉するソレノイド３９が取り付けられ、プランジャ４０に連結するレバー片４１が前記通路部２４の先端下方に出没してＶ入賞口２６を開閉する開閉板４２を突出させる。
【００１８】
本発明において、図５に示すように、前記押え部材３１は横長の板状部４３の下辺に所望の間隔を置いて複数の枝板部４３ａ，４３ｂ，４３ｃを一体に延長垂設し、該板状部４３の両側の上辺部位に前記支持軸２９，２９に冠着するキャップ部４４ａ，４４ｂを一体に有して形成され、これらの各キャップ部４４ａ，４４ｂから先端上部に爪部４５を有する細長板状になる係止片４６ａ，４６ｂをそれぞれ裏側に一体に延長突設すると共に、前記枝板部４３ｃから先端に爪部４５を有する細長板状になる係止片４６ｃを裏側に一体に延長突設している。また、前記中枠１３には前記開口１４に連通する通路部２４を区隔する左右の隔壁２５，２５の外面側に前記左右の係止片４６ａ，４６ｂの爪部４５に係合するＬ字状の係止部４７ａ，４７ｂが一体に設置されると共に、中枠１３の背壁２３に前記中央の係止片４６ｃの爪部４５を受け止める係止部としての貫通孔４８を穿設して設け、係止片４６ｃの爪部４５を挿し込んで背壁２３の裏面に係止させる。
【００１９】
また、前記右端の枝板部４３ａの裏面に板状片になる突片４９を一体に突設すると共に、Ｖ入賞口２６と一般入賞口２７を区隔する隔壁２５ａの先端に条溝５０を穿設し、該条溝５０に前記突片４９を挿着させ、位置決めの用をなす。なお、前記左右の係止片４６ａ，４６ｂは、図７に示すように、根元部位に肉厚部５１を備えさせて、押え板３１を中枠１３に装着したときに係止片４６ａ，４６ｂの各肉厚部５１が支持部の壁面に圧接させるように形成するのが好ましい。
【００２０】
上記構成になる本発明の押え部材３１は、横長の板状部４３を開口１４の下辺に沿って装着する際に、右側の枝板部４３ａに備える突片４９を通路部２４の中央の隔壁２５ａの条溝５０に挿し込むことにより押え部材３１が位置決めされて、両端のキャップ部４４ａ，４４ｂが左右の支持軸２９，２９の上に位置すると共に、左右の各係止片４６ａ，４６ｂが通路部２４を区画する左右の隔壁２５、２５の外面で、かつ支持軸２９，２９の支持部に沿って差し込まれると共に、中央の係止片４６ｃも通路部２４の下部に差し込まれる。そこで、突片４９を備える枝板部４３ｃ及び両端のキャップ部４４ａ，４４ｂを更に強く押し込むことにより、図６ないし図８に示すように突片４９が中央の隔壁２５ａの条溝５０に挿着され、キャップ部４４ａ，４４ｂが左右の支持軸２９，２９に冠着すると共に、板状部４３が球検出器２６ａ，２７ａに当接し、同時に各係止片４６ａ，４６ｂ，４６ｃの先端のそれぞれの爪部４５が背壁２３に備える貫通孔４８および係止部４７ａ，４７ｂの奥方へ更に差し込まれて、それぞれの爪部４６が係止部４７ａ，４７ｂおよび貫通孔４８に弾力的に係着することにより、押え部材３１を確実堅固に装着し、そして、板状部４３で球検出器２６ａ，２７ａの抜け止めすると共に、キャップ部４４ａ，４４ｂで開閉扉２８の支持軸２９，２９を確実に軸支する。
【００２１】
また、開閉扉が破損したり或いは他のデザインのものと交換するために、開閉扉を中枠から外す場合、各係止片を外側へ押し倒すと、係止片の弾性力で背面へそり反って係止段部の係着状態が解除されるので、開閉扉を引き抜くことで中枠から極めて容易簡単に外すことができる。
【００２２】
【発明の効果】
以上に述べたように本発明に係わるパチンコ機の入賞装置は、押え板に設けた係止片の先端の爪部を係止部に係着する嵌め込み手段により、押え板を中枠の球通路部に組み付けるので、従来のビスを使用する組み立て手段に比べ、組立てを容易簡便にし、作業性を著しく向上する。しかも、細かい部品が無くなるので着脱も極めて容易であり、その結果、開閉扉の破損または他のデザインの開閉扉の交換も容易である等の利点がある。
【００２３】
また、押え板により同時に球検出器の抜け止めも行うようにしたので、部品点数も少なくなり作業性がよくなる。
【図面の簡単な説明】
【図１】本発明に係る入賞装置を設けたパチンコ機の正面図である。
【図２】本発明に係わる入賞装置の斜視図である。
【図３】図２の入賞装置の分解斜視図である。
【図４】取付板と中枠を分離して示す斜視図である。
【図５】中枠から開閉扉を分離して示す斜視図である。
【図６】図２の平断面図である。
【図７】押え板の係止片の設置状態を示す要部側断面図である。
【図８】押え板の係止片の設置状態を示す要部平断面図である。
【図９】開閉扉の開閉機構部分を示す断面図である。
【符号の説明】
１                        パチンコ機
１１                      入賞装置
１２                      取付板
１３                      中枠
１４                      開口
１８                      箱枠
２３                      背壁
２４                      通路部
２５，２５ａ              隔壁
２８                      開閉扉
２９，２９                支持軸
３１                      押え板
４３                      板状部
４３ａ，４３ｂ，４３ｃ    枝板部
４４ａ，４４ｂ            キャップ部
４５                      爪部
４６ａ，４６ｂ，４６ｃ    係止片
４７ａ，４７ｂ            係止部
４８                      貫通孔（係止部）
４９                      突片
５０                      条溝
【図１】
0004303813.tif 000002
【図２】
0004303813.tif 000003
【図３】
0004303813.tif 000004
【図４】
0004303813.tif 000005
【図５】
0004303813.tif 000006
【図６】
0004303813.tif 000007
【図７】
0004303813.tif 000008
【図８】
0004303813.tif 000009
【図９】
0004303813.tif 000010